(57)【要約】実質的に三角形の上蓋は、３つの外周角部及び３つの外周辺部を備えた実質的に三角形の外周を有する本体を包含する。この上蓋はまた、外周角部の１つから実質的に下方に延長するスカート角部を備えたスカートを包含する。このスカート角部は、本体に隣接する領域に向かって延長する少なくとも１つの内側延長部を包含する。
2004513037.tif 000002
【特許請求の範囲】
【請求項１】
実質的に三角形の上蓋であって、
ａ）３つの外周角部及び３つの外周辺部を備えた実質的に三角形の外周を有する本体、並びに
ｂ）前記外周角部の１つから実質的に下方に延長し、前記本体に隣接する領域に向かって延長する少なくとも１つの内側延長部を包含するスカート角部を包含するスカート
を含み、前記内側延長部の全てを合わせた全長が、前記外周の全長の７０パーセント未満であることを特徴とする、実質的に三角形の上蓋。
【請求項２】
各内側延長部が、その長さ全体にわたって実質的に同じ内側縦断面プロファイルを有することを特徴とする、請求項１に記載の実質的に三角形の上蓋。
【請求項３】
前記スカートが、前記スカート角部の内側延長部のその長さに沿った内側縦断面プロファイルと実質的に同じ内側縦断面プロファイルをその長さに沿って有する内側延長部を持たない部分を備えた少なくとも１つのスカート側部を包含する、請求項１又は２に記載の実質的に三角形の上蓋。
【請求項４】
少なくとも１つのスカート側部が、いかなる内側延長部も持たない部分を有することを特徴とする、請求項３に記載の実質的に三角形の上蓋。
【請求項５】
少なくとも１つのスカート側が、前記スカート角部の内側延長部の一部を包含することを特徴とする、請求項３に記載の実質的に三角形の上蓋。
【請求項６】
前記スカート角部が複数の内側延長部を包含し、好ましくは、前記複数の内側延長部の少なくとも２つの内側延長部がそれぞれある長さを有し、前記長さが実質的に互いに等しいことを更に特徴とする、請求項１〜５のいずれか一項に記載の実質的に三角形の上蓋。
【請求項７】
前記スカートが下端にフランジを包含し、好ましくは前記フランジが前記下端から外方に延長する上側部分、及び前記下端から下方に延長する下側部分を含むことを更に特徴とし、更に好ましくは、前記フランジがタブを含むことを特徴とする、請求項１〜６のいずれか一項に記載の実質的に三角形の上蓋。
【請求項８】
前記本体は実質的に三角形の突出部を包含する上面を有し、好ましくは、前記突出部は前記本体の外周に隣接して配設されることを特徴とする、請求項１〜７のいずれか一項に記載の実質的に三角形の上蓋。
【請求項９】
前記内側延長部の縦断面が実質的にＶ字形であって、前記上蓋は実質的に等辺三角形の形状を有することを更に特徴とする、請求項１に記載の実質的に三角形の上蓋。
【請求項１０】
ａ）３つの外周辺部と、第１外周角部、第２外周角部及び第３外周角部を備えた実質的に三角形の外周を有する本体であって、前記第１外周角部は、
（ｉ）想像境界線が、想像二等分線に垂直に延長し、交差点で前記想像二等分線と交差し、
（ｉｉ）前記交差点が、前記外周の最大幅の２０パーセントの距離だけ二等分点から離れたところに配置され、及び
（ｉｉｉ）前記想像境界線が、２ヶ所で前記外周と更に交差し、前記第１外周角部の少なくとも一部を包含する外周延長部をそれらの間に画定するように、前記二等分点で前記想像線により二等分される本体、並びに
ｂ）前記外周延長部から実質的に下方に延長し、前記本体に隣接する領域に向かって延長する少なくとも１つの内側延長部を包含するスカートであって、前記内側延長部は、その長さに沿って内側縦断面プロファイルを包含するスカート
を含む実質的に三角形の上蓋であって、前記外周延長部の外側にて、前記外周の一部分は、前記外周延長部内の前記内側縦断面プロファイルの少なくとも１つと実質的に同じである内側縦断面プロファイルを有する内側延長部を持たないことを特徴とする、実質的に三角形の上蓋。
【請求項１１】
ａ）３つの外周辺部と、第１二等分点から前記外周辺部の１つとの交差点まで延長する長さを有する第１想像線により第１二等分点で二等分される第１外周角部と、第２二等分点から前記外周辺部の１つとの交差点まで延長する長さを有する第２想像線により第２二等分点で二等分される第２外周角部と、第３二等分点から前記外周辺部の１つとの交差点まで延長する長さを有する第３想像線により第３二等分点で二等分される第３外周角部とを備えた、実質的に三角形の外周を有する本体であって、
（ｉ）第１想像境界線は、前記第１想像二等分線に垂直に延長して第１交差点で前記第１想像二等分線と交差し、第２想像境界線は、前記第２想像二等分線に垂直に延長して第２交差点で前記第２想像二等分線と交差し、及び第３想像境界線は、前記第３想像二等分線に垂直に延長して第３交差点で前記第３想像二等分線と交差し、
（ｉｉ）前記第１交差点は、前記第１想像線の長さの２０パーセントの距離だけ前記第１二等分点から離れて配置され、前記第２交差点は、前記第２想像線の長さの２０パーセントの距離だけ前記第２二等分点から離れて配置され、及び前記第３交差点は、前記第３想像線の長さの２０パーセントの距離だけ前記第３二等分点から離れて配置され、及び
（ｉｉｉ）前記第１想像境界線は、２ヶ所で前記外周と交差し、前記第１外周角部の少なくとも一部を包含する第１外周延長部をそれらの間に画定し、前記第２想像境界線は、２ヶ所で前記外周と交差し、前記第２外周角部の少なくとも一部を包含する第２外周延長部をそれらの間に画定し、及び前記第３想像境界線は、さらに２ヶ所で前記外周と交差し、前記第３外周角部の少なくとも一部を包含する第３外周延長部をそれらの間に画定する本体、並びに
ｂ）前記第１外周延長部から実質的に下方に延長する第１スカート部分と、前記第２外周延長部から実質的に下方に延長する第２スカート部分と、前記第３外周延長部から実質的に下方に延長する第３スカート部分とを含むスカートであって、前記第１スカート部分は前記本体に隣接する領域に向かって延長する少なくとも１つの内側延長部を有し、前記内側延長部は、内側縦断面プロファイルをその長さに沿って有するスカート
を含む実質的に三角形の上蓋であって、
前記第１外周延長部、第２外周延長部及び第３外周延長部の外側にて、前記外周が、前記第１外周延長部内の前記内側縦断面プロファイルの少なくとも１つと実質的に同じ内側縦断面プロファイルを有する内側延長部を持たないことを特徴とする、実質的に三角形の上蓋。
【請求項１２】
前記第２スカート部分は、前記本体に隣接する前記領域に向かって延長する少なくとも１つの第２内側延長部を包含し、前記第２内側延長部は、第２内側縦断面プロファイルをその長さに沿って包含し、前記第３スカート部分は、前記本体に隣接する前記領域に向かって延長する少なくとも１つの第３内側延長部を包含し、前記第３内側延長部は、第３内側縦断面プロファイルをその長さに沿って包含する実質的に三角形の上蓋であって、前記第１外周延長部、第２外周延長部及び第３外周延長部の外側にて、前記外周が、前記２外周延長部及び前記２外周延長部内の前記内側縦断面プロファイルの少なくとも１つと実質的に同じ内側縦断面プロファイルを有する内側延長部を持たないことを特徴とする、請求項１１に記載の実質的に三角形の上蓋。
【請求項１３】
第１外周延長部、第２外周延長部及び第３外周延長部の外側にて、前記外周は、いかなる内側延長部をも持たない部分を有することを特徴とする、請求項１１に記載の実質的に三角形の上蓋。
【発明の詳細な説明】
【０００１】
（関連出願との相互参照）
本出願は、米国仮出願第６０／２４８，０８９号及び第６０／２４８，３４０号（各々２０００年１１月１３日に出願）の利益を主張するものであり、各出願の全てを参考として本明細書に組み入れる。
【０００２】
（発明の分野）
本発明は、容器の密封装置に関し、より詳細には、実質的に三角形の容器と共に使用する実質的に三角形の上蓋に関する。
【０００３】
（発明の背景）
予め成形したスナック片は、典型的には砕け易く、包装、出荷及び／又は取り扱い作業中に容易に砕けたり割れたりすることがある。従来の包装手法で得られる袋及び／又は箱では、かなりの数のスナック片が消費する前に割れるか、又は潰れることがある。周知のプリングルズ（Ｐｒｉｎｇｌｅｓ）（登録商標）の成形ポテトチップスナック片（オハイオ州シンシナティ（Ｃｉｎｃｉｎｎａｔｉ，Ｏｈｉｏ）のプロクター・アンド・ギャンブル社（Ｔｈｅ Ｐｒｏｃｔｅｒ ＆ Ｇａｍｂｌｅ Ｃｏｍｐａｎｙ）の製品）は、「鞍（ｓａｄｄｌｅ）」形状の個別スナック片であり、従来技術の欠点を克服する方法で包装される。従来、プリングルズ（Ｐｒｉｎｇｌｅｓ）（登録商標）のスナック片は、円筒形容器内に単一の入れ子状として積み重ねて包装されており、これは包装、出荷及び／又はその他の取り扱い中の保護を向上させる。結果として、プリングルズ（Ｐｒｉｎｇｌｅｓ）（登録商標）のスナック片は、典型的には割れることなく消費者に提供される。
【０００４】
包装、出荷及び／又はその他の取り扱い中に砕け易いスナック片を保護するように包装するための、使いやすくて比較的安価な容器に対する需要が継続して存在している。膜蓋を保護し、及び／又は、少なくとも部分的に膜蓋を取り外した後に容器を密封する容器用上蓋を提供することも更に望ましい。
また、出荷及び／又はその他の取り扱い中に、砕け易く、及び／又は割れ易い他の種類の物品が破損するのを低減し、物品の所望特性を維持するかかる安価な容器を提供すること、及び使い易い包装体を提供することが望ましいこともある。
【０００５】
（発明の概要）
従って、本発明の目的は、容器の端部を遮蔽し、及び／又は密封するのに使用する従来装置の問題及び欠点を回避することである。より詳細には、本発明の目的は、同様に実質的に三角形の容器端部とそれぞれ組み合わせて使用できる、実質的に三角形の上蓋を提供することである。
本発明の更なる目的は、容器端部の密封装置及び／又はシールドとして使用する取り外し可能な上蓋を提供することである。
本発明の更に別の目的は、最初の開封後にかかる容器を簡単に再密封できる上蓋を提供すること、及び／又は容器端部を保護する上蓋を提供することである。
例示的な実施形態において、本発明は実質的に三角形の上蓋に関する。この上蓋は、３つの外周角部及び３つの外周辺部を備えた実質的に三角形の外周を有する本体を包含する。この上蓋は、外周角部の１つから実質的に下方に延長するスカート角部を包含するスカートを包含する。このスカート角部は、本体に隣接する領域に向かって延長する少なくとも１つの内側延長部を包含する。内側延長部の全てを合わせた全長は、外周全長の約７０％未満である。
【０００６】
追加的で例示的な実施形態において、本発明は、３つの外周辺部、第１外周角部、第２外周角部及び第３外周角部を備えた実質的に三角形の外周を有する本体を備えた実質的に三角形の上蓋に関する。第１外周角部は、二等分点で想像線により二等分され、想像境界線は、想像二等分線に垂直に延長し、及び交差部で想像二等分線と交差する。この交差点は、外周の最大幅の約２０パーセントの距離だけ二等分点から離れて配置される。想像境界線は、２ヶ所で外周と更に交差し、第１外周角部の少なくとも一部を包含する外周延長部をそれらの間に画定する。スカートはまた、外周延長部から実質的に下方に延長し、本体に隣接する領域に向かって延長する少なくとも１つの内側延長部を包含する。この内側延長部は、その長さに沿って内側縦断面プロファイルを包含し、その際外周延長部の外側にて、外周の一部は、外周延長部内の内側縦断面プロファイルの少なくとも１つと実質的に同じ内側縦断面プロファイルを有する内側延長部を持たない。
【０００７】
更なる例示的な実施形態において、実質的に三角形の上蓋は、３つの外周辺部を備えた実質的に三角形の外周を有する本体を設ける。外周は、第１二等分点で第１想像線により二等分された第１外周角部を更に包含し、この第１想像線は、第１二等分点から外周辺部の１つとの交差点まで延長する長さを有する。この外周はまた、第２二等分点で第２想像線により二等分された第２外周角部を包含し、第２想像線は、第２二等分点から外周辺部の１つとの交差点まで延長する長さを有する。
【０００８】
この外周は、更に第３二等分点で第３想像線により二等分された第３外周角部を包含し、第３想像線は、第３二等分点から外周辺部の１つとの交差点まで延長する長さを有する。第１想像境界線は、第１想像二等分線に垂直に延長し、第１交差点で第１想像二等分線と交差する。第２想像境界線は、第２想像二等分線に垂直に延長し、第２交差点で第２想像二等分線と交差する。第３想像境界線は、第３想像二等分線に垂直に延長し、第３交差点で第３想像二等分線と交差する。第１交差点は、第１想像線の長さの約２０％の距離だけ第１二等分点から離れて配置される。第２交差点は、第２想像線の長さの約２０％の距離だけ第２二等分点から離れて配置される。その上、第３交差点は、第３想像線の長さの約２０％の距離だけ第３二等分点から離れて配置される。第１想像境界線は、２ヶ所で外周と交差し、第１外周角部の少なくとも一部を包含する第１外周延長部をそれらの間に画定する。同様に、第２想像境界線は、２ヶ所で外周と交差し、第２外周角部の少なくとも一部を包含する第２外周延長部をそれらの間に画定する。第３想像境界線は、２ヶ所で外周と更に交差し、第３外周角部の少なくとも一部を包含する第３外周延長部をそれらの間に画定する。スカートは、第１外周延長部から実質的に下方に延長する第１スカート部分、第２外周延長部から実質的に下方に延長する第２スカート部分、及び第３外周延長部から実質的に下方に延長する第３スカート部分を包含する。第１スカート部分は、本体に隣接する領域に向かって延長する少なくとも１つの内側延長部を包含する。この内側延長部は、縦断面プロファイルをその長さに沿って包含し、ここで、第１外周延長部、第２外周延長部及び第３外周延長部の外側にて、外周は、第１外周延長部内の内側縦断面プロファイルの少なくとも１つと実質的に同じ内側縦断面プロファイルを有する内側延長部を持たない。
【０００９】
本発明の実質的に三角形の上蓋は、同形状の容器の内側と外側に圧力差が生じる場合でさえ、この容器における上蓋位置を維持する係止機構を設けるという点で有利である。その上、上蓋は、消費者により容易に容器から取り外し可能である。本発明の上蓋に関するこれらの利点及び更なる利点は、以下の詳細な説明でより明らかである。
【００１０】
（例示的な実施形態の詳細な説明）
以下の詳細な説明は、図面と共に精査すると、より十分に理解される。
本発明の上蓋は、実質的に三角形であり、同様に実質的に三角形の容器端部（開放端部又は閉鎖端部）を覆うように適応される。図面は、実質的に三角形の開口、対応する実質的に三角形のリップ及び本体を有する容器に適用する実質的に三角形の上蓋を示すが、この実質的に三角形の上蓋はまた、他の多様な形状の容器にも適用できる。例えば、実質的に三角形の上蓋は、円形、矩形、方形又は他の断面形状の本体を有する容器の実質的に三角形の端部上に配置するように使用され得る。例示的な実施形態において、実質的に三角形の上蓋は、膜蓋で密封される容器端部の保護シールドとして使用され得る。故に、上蓋は膜蓋を保護することにより、膜蓋の損傷及び／又は不慮の外れを制限又は防止し、実質的に三角形（例えばトルティーヤチップなど）のような物品の適切な封入を維持することもある。その上、又はあるいは、上蓋を、容器の開放端部を密封するのに使用してもよい。例えば、（もし提供されている場合に）膜蓋を少なくとも部分的に一旦取り外すと、上蓋を開放端部を有する容器の密封装置として使用してもよい。故に、本発明の上蓋は、消費の前に割れてしまうのを最小限に抑えた新鮮な製品を消費者に提供することを助けるといった、広範な有用性を有する。
【００１１】
図１〜図７、及び図１０を参照すると、上蓋２０の一実施形態は、上面２４、及び実質的に三角形の外周２８を備える本体２２を含む。本発明の文脈において、「実質的に三角形の」は、角で互いに結ばれた辺を備える三辺多角形を包含し、鋭角又はより丸みのある構造を含み得る。例示的な実施形態において、角は、直線の、又は実質的に直線の辺同士を結ぶ。しかも、「直線の」とは、辺の表面又は断面形状よりも、むしろ角から角までの距離について言う。その上、「実質的に三角形」は、実質的に等辺の三角形の形状を包含するが、他形状の三角形（例えば、外周が二等辺三角形状、直角三角形状、又は他の三角形状であるもの）も、本発明の概念と共に提供されてもよい。
上蓋２０の実質的に三角形の外周２８は、３つの外周角部３０及び３つの外周辺部３２を包含する。上蓋２０はスカート３４を更に包含し、このスカート３４は、対応する外周角部３０から実質的に下方に延長するスカート角部３６、及び対応する外周辺部３２から実質的に下方に延長する３つのスカート側部３８を包含してもよい。
【００１２】
図示していないが、本発明の各実施形態は、３つ未満のスカート角部３６及び／又は３つ未満のスカート側部３８を備えたスカート３４を包含し得る。例示的な実施形態において、スカート３４は、単一のスカート角部３６又はスカート側部３８の一部を包含する。スカートの全体的な大きさを小さくすることは、上蓋２０を作成するのに必要な物質量を減らし、従って物質コストを削減するのに有用である。反対に、スカートの大きさを大きくすることは、スカート強度を上げ、従ってスカートの破損を防止する可能性がある。例えば、図１〜図３及び図１０に示すように、スカート３４は、３つのスカート角部３６及び３つのスカート側部３８を設けた外周２８と実質的に連続的に隣接して延長してもよく、それにより上蓋２０の剛性と強度が増大する。
【００１３】
上蓋２０は、対象の特定容器に適合するように寸法付けられる。他の寸法を使用してもよいが、本発明の上蓋２０の例示的な実施形態は、図面に示すような、約４ｃｍ〜約１４ｃｍ、及び約６ｃｍ〜約９ｃｍである外周角部３０の接線間の長さＬ２を有する。ある例示的な実施形態において、長さＬ２は、約７．５ｃｍ〜約８．５ｃｍである。
更に図面に示すように、スカート角部３６は、本体２２に隣接する領域５２に向かって延長する少なくとも１つの内側延長部４２を包含する。図１に示すように、内側延長部４２は例えば、スカート３４の一部としてある長さを持って延長する。例示的な実施形態において、全内側延長部４２の全長は、外周２８の全長の約７０パーセント未満である。例えば図１に示すように、各内側延長部４２の長さを合わせて足すと、外周２８の全長の約７０パーセント未満となる。
【００１４】
図１、図３及び図４に示すように、内側縦断面プロファイル４４は、内側延長部４２全体の縦断面を取って画定され得る。実際、各内側延長部４２は、複数の内側縦断面プロファイル（例えば、図１の点３ａ、３ｂ及び３ｃでの断面）を有し、これらの内側縦断面プロファイルは、実質的に互いに同一であり、図４に示すプロファイルと実質的に同一であり得る。故に、各内側延長部４２は、実質的にその長さ全体にわたって、実質的に同じ内側縦断面プロファイルを有し得る。これらの内側延長機構は、多様な大気条件にて上蓋を適所に保持するのを更に助ける。
図２は、内側延長部４２の小部分４６を示し、この小部分４６は、内側延長部の残部とは一致しなくてもよい。故に、内側延長部４２を、実質的にその長さ全体にわたって実質的に同じ内側縦断面プロファイルを有するものとして示すが、この内側延長部４２の端部の小部分４６は、テーパー形状、即ち次第に細経となり得る。内側延長部の端部をテーパー形状、即ち細経にすると、端部キャップ２０を熱成形後に金型から容易に取り出すことができる。
【００１５】
追加的な実施形態において、内側断面プロファイルは、その長さに沿って一致しないプロファイルを有し得るので、その内側延長部は、実質的にその長さ全体にわたって実質的に同じ内側縦断面プロファイルを有さない。一致しないプロファイルを設けることは、熱成形後に上蓋を金型から取り出すのを更に助けるのに有用であることがあり、容器に対する上蓋の把持特性を調整するのを助け得る。例えば、内側延長部の端部は、著しくテーパー形状であるか、又は伸長した移行部分を有するので、消費者は、上蓋を熱成形用金型から容易に取り除くことができ、及び／又は簡単に上蓋を容器から取り外すことができる。反対に、実質的に同じ縦断面プロファイルを設けることにより、上蓋を簡単に容器に適用することができる。実質的にその長さ全体にわたって実質的に同じ内側縦断面プロファイルを有する内側延長部を設けることは、適用中に上蓋を容器のリップと整列させ、内側延長部及び容器のリップ間の接触点に沿って均一な力分配、又は接触圧力が生じるのを助けることによって、上蓋及び容器間の所要の配置精度を緩和することがある。
【００１６】
上蓋及び容器間の所要の配置精度を緩和することにより、上蓋及び容器残部間のずれのために生じる一致しない適用、及び／又は上蓋適用の失敗を制限するか、又は防止する。上述のように、本発明の例示的な実施形態は、内側延長部４２の累積長さが外周２８の全長の７０パーセント未満であることを包含する。外周の残部は、スカート角部の内側縦断面プロファイルの少なくとも１つと実質的に同じ内側縦断面プロファイルを有する内側延長部を持たない少なくとも一部の外周を包含する。追加的な実施形態において、外周残部の少なくとも一部は、いかなる内側延長部をも持たない。例えば図３に示すように、外周辺部３２は、スカート側部３８にいかなる内側延長部をも持たない平坦な側部６８を包含する。
【００１７】
代替的な実施形態（例えば図１を参照）において、少なくとも１つの外周角部３０は、二等分点６０で想像二等分線５４により二等分される。その上、想像境界線５６は、交差点５８で想像二等分線５４と交差し、この想像二等分線５４から垂直に延長する。交差点５８は、二等分点６０から距離Ｌ１のところに配置される。例示的な実施形態において、各内側延長部４０は、交差点５８を起点とする角度「ａ」に相当する角部の放射状周辺部の一部を占有してもよい。角度「ａ」は、広範囲を含み得る。例えば、角度「ａ」の範囲は、約１０°〜約１８０°、例えば約４０°〜約１６０°であり得る。ある例示的な実施形態において、角度「ａ」は約１２０°である。更なる例示的な実施形態において、距離Ｌ１は、外周２８の最大幅の約２０パーセントであり、ここで最大幅とは、外周角部の点に接する想像縦線間の距離であり得る（例えば、図１の距離Ｌ２を参照）。想像境界線５６は、２つの境界線交差位置６２ａ、６２ｂで外周と更に交差し、対応する外周角部３０を包含する周辺延長部６４をそれらの間に画定する。
【００１８】
スカート３４は、外周延長部６４から下方に延長する部分を包含する。図示しないが、本発明の各実施形態は、３つ未満のスカート角部３６及び／又は３つ未満のスカート側部３８を備えたスカート３４を包含し得る。例示的な実施形態において、スカート３４は、単一のスカート角部３６又はスカート側部３８の一部を包含する。図面に示すような更なる実施形態において、スカート３４は、外周２８から下方に延長する３つのスカート角部３６及び３つのスカート側部３８を包含してもよい。
図３に示すように、スカート３４の部分は、外周２８の外周延長部６４から下方に延長する。スカート３４は、本体２２に隣接する領域５２に向かって延長する少なくとも１つの内側延長部４２を更に包含する。内側延長部４２は、内側縦断面プロファイルをその長さに沿って包含する（例えば、図３及び図４の４４を参照）。しかも、外周２８の一部分６６は、外周延長部６４内の少なくとも１つの内側縦断面プロファイルと実質的に同じ内側縦断面プロファイルを有する内側延長部を持たない。その上、図１〜図３、図６及び図１０の例示的な実施形態に示すように、この部分６６は、いかなる内側延長部をも持たないことがある。例えば、図３に示すように、外周２８は、その一部分がいかなる内側延長部をも持たないような平坦な表面６８を有するスカート側部３８を設ける。
【００１９】
追加的な実施形態において、個々の想像境界線６４は、上述した単一の外周角部に関して説明したように、３つの角部のそれぞれを二等分する各想像線に対して設けられてもよいので、各角部の各外周延長部の外側の外周は、各外周延長部内の少なくとも１つの内側縦断面プロファイルと実質的に同じ内側縦断面プロファイルを有する内側延長部を持たなくてもよい。しかしながら、本発明の広範な特性によれば、本出願全体に示される概念は、１つ以上の内側延長部が、外周角部の１つのみと、及び／又は外周延長部の１つのみと関連している実施形態を入れることを意図する。例えば、単一の外周角部は１つ以上の内側延長部を包含するが、残りの外周角部は内側延長部を持たない上蓋が提供され得る。内側延長部を持たない角部は、容器のリップ角部と摩擦的に係合するように設計され得る。あるいは、又はその上、単一の外周角部から延長する１つ以上の内側延長部は、反対側の外周辺部上にある１つ以上の内側延長部により補完（ｃｏｍｐｌｉｍｅｎｔｅｄ）され得る。
【００２０】
その上、単に外周角部の１つと、及び／又は単に外周延長部の１つと関連する１つ以上の内側延長部に関して説明した本発明の概念を、全ての実質的に三角形の外周について使用してもよいが、内側延長部が単一であるという概念は、非等辺三角形外周に関して特に有用であることがある。例えば、実質的に等角である２つの外周角部、及びそれより小さい第３の外周角部を備えた実質的に二等辺三角形の外周について、１つ以上の内側延長部は、この小さい方の角部について画定され得る。その上、実質的に等角である２つの外周角部が第３外周角部よりも小さい実質的に二等辺三角形の外周について、１つ以上の内側延長部は、小さい方の角部のいずれかについて画定され得る。
本発明の更に別の実施形態において、各外周延長部は、対応する外周角部の二等分線に対して画定される。図１に示すように、１つの外周延長部６４は、対応する外周角部３０の想像二等分線５４に関して説明され得る。同様に、更に２つの外周延長部が、残り２つの外周角部について画定され得ることが理解される従って、説明のために、外周延長部６４を、１つ以上の角部３０に関して記載する。
【００２１】
図１に示すように、各外周角部３０は、想像二等分線５４により二等分される。しかも、想像境界線５６は、対応する想像二等分線５４のそれぞれに垂直である。境界線５６は、交差点５８で対応する各想像二等分線５４と交差する。交差点５８は、対応する想像二等分線５４の、二等分点６０から外周辺部３２の１つとの交差点７０（例えば、この交差点は、実質的に等辺三角形である外周の外周辺部の中点である）までの距離Ｌ３の約２０パーセントの距離だけ、対応する二等分点６０から離れたところに配置される。従って、各想像境界線５６は、位置６２ａ、６２ｂで外周と交差し、対応する外周角部３０を包含する外周延長部６４をそれらの間に画定する。結果的に、各外周延長部６４は、上述の他の実施形態について述べたように外周２８の最大幅というより、むしろ対応する想像二等分線５４の長さに左右される。
【００２２】
スカート３４は、各外周延長部から実質的に下方に延長するスカート部分を更に設け、各スカート部分は、本体２２に隣接する領域５２に向かって延長する少なくとも１つの内側延長部４２を包含する。内側延長部４２は、内側縦断面プロファイル４４をその長さに沿ってそれぞれ包含するので、各外周延長部６４の外側にて、外周２８は１つ以上の外周延長部内の、少なくとも１つの内側縦断面プロファイルと実質的に同じ内側縦断面プロファイルを有する内側延長部を持たない。例えば、３つの外周延長部６４のそれぞれの外側にて、外周２８は、各外周延長部内の少なくとも１つの内側縦断面プロファイルと実質的に同じ内側縦断面プロファイルを有する内側延長部を持たないことがある。追加的な実施形態において、図１に示すように、３つの外周延長部のそれぞれの外側にて、外周はいかなる内側延長部をも持たない一部分を有する（例えば、図３のスカート側部３８の平坦な表面６８を参照）。
【００２３】
従って、本発明の各実施形態は、１つ以上の外周角部近傍に１つ以上の内側延長部を包含し、上述のように１つ以上の外周延長部内に配置され得る。異なる内側縦断面プロファイルを設けることは、上蓋の保持を更に助け、所望のように容器残部から上蓋を着脱するのを容易にする。スカート側部が設けられるならば、側部に沿った特定の位置での内側プロファイルの大きさ又は広がりをなくすか、又は小さくすることにより、高い位置で起こり得る容器本体及び／又はリップの隆起に呼応して、側部が外側に屈曲するか又は湾曲するのが望ましい。側部が外側に屈曲するか又は湾曲すると、掴み効果が生じ、ここで角部は、本体に隣接する領域５２に向かって内側に曲がるか、又は旋回することにより、リップ３１０の下側３１２と緊密に係合する（図５参照）。結果的に、容器外部の圧力に対する容器内部の圧力比が上昇するとき、スカート側部３８は、外側へと屈曲するか、又は湾曲し得るので、スカート角部３６の内方への旋回運動が生じ、それにより内側延長部４２の内側縦断面プロファイル４４がリップ３１０の下側３１２を掴む。従って、気密封止した容器内部に対して周囲環境の圧力が低下すると、外周角部近傍の内側延長部が容器上端の角部に押しつけられることによって上蓋と容器がより緊密に結合し得る。結果的に、本明細書で述べる上蓋の特徴により、容器の内側及び外側の圧力差に耐え得る蓋付き容器を提供する。従って、当業者であれば、この上蓋が多様な周囲圧力条件下で製品を様々な場所へ出荷するのを助けるのに好適であることを認識する。本明細書で示す上蓋は、３つの外周角部のそれぞれにおける１つ以上の内側延長部を示しているが、１つ以上の内側延長部を単に１つの角部に設けることにより、熱成形後に金型から上蓋を簡単に取り外すことができる。
【００２４】
その上、異なる内側縦断面プロファイルを設けることにより、製造中に上蓋を適用すること、及び消費者が所望のように上蓋を取り外すことを更に容易にする。上蓋を容器端部に適用する場合、側部は容易に屈曲するか、又は湾曲することがあり、それにより内側延長部が容器の部分（例えば、容器リップの部分）に重なる。その上、上蓋を容器端部から外す場合、側部が容易に屈曲するか、又は湾曲してもよい。上蓋を外すために、消費者はスカート角部３６を把持してもよく、上蓋のスカート角部を容器の上端部分（即ち、上部リップ）から押し上げ、容器の上端部から角部を解放する。押し上げる場合、内側延長部が容器の一部（即ち、容器のリップ分）に重なるとき、スカート側部は容易に屈曲するか、又は湾曲してもよい。しかも、角部を一旦持ち上げると、スカート側部３８に沿って延長する内側延長部は、さもなければ、上蓋及び容器端部間の追加的な固定具を提供する延長部が存在しないので、容易にキャップを取り外すことができる。
【００２５】
例示的な実施形態は、いかなる内側延長部をも持たない外周の部分（例えば、スカート側部３８の部分）を示すが、他の実施形態は、内側延長部を包含してもよく、これらの内側延長部は、容器の外周に部分的に、又は全体的に延長することによって、連続する内側延長部を形成する。しかしながら、このような実施形態においては、側部が屈曲するか、若しくは湾曲することを不都合に制限する、若しくは防止する内側延長部、又は他の構造を含まないことが望ましい。その上、容器端部を過度に把持することにより容器端部からの上蓋の着脱を複雑にする内側延長部を避けることが望ましい。
【００２６】
前述のことを達成するために、外周延長部内の少なくとも１つの内側縦断面プロファイルと実質的に同じ内側縦断面プロファイルを有する内側延長部を持たない外周の一部を有することが望ましい。例示的な実施形態において、外周延長部の外側領域及び／又はスカート側部の領域では、内側延長部は、消費者が容器残部に対して上蓋を容易に着脱できるように、容易に上蓋を容器に装着できるように、及び／又は上蓋の保持を促進するように、あまり目立たないプロファイル、小径のプロファイル、不連続のプロファイル、断続的なプロファイルなどを有していてもよい。例示的な実施形態において、スカートは、スカート側部を包含しないので、外周部分はいかなる内側延長部をも持たない。
ある実施形態において、図に示すように、スカート側部３８、又は外周延長部６４の外側にある外周の部分は、内側延長部を持たない。同様に三角形状のリップ付き容器に上蓋をしっかりと装着できる一方で、内側延長部及びそれらを実質的に持たない他の外周部分を包含するスカートに角部を設けることにより、容器の内部区画、及び容器周囲の環境の間にある圧力差に抗う掴み効果が生じる。有利なことに、上蓋を容易に適用できる一方で、スカート側部が屈曲することにより、所望のように容器から簡単に取り外すことができる。
【００２７】
望ましい係止効果が得られる一方で、内側延長部４２は広範な構成を取ることができる。例えば、図２に示すように、少なくとも１つのスカート角部３４は、少なくとも１つの内側延長部４２を包含し得る。しかも、この少なくとも１つの内側延長部は、単一の内側延長部、又は複数の内側延長部を含み得る。更に他の実施形態において、内側延長部は、外周角部３０の周囲に少なくとも部分的に又は全体的に延長し得る。図８に示すような代替的な実施形態において、内側延長部は、１つ以上の内側延長ビード１４２を含んでいてもよく、これらの内側延長ビード１４２は、外周角部１３０の周囲に対して延長する。例えば、図８に示すように、複数の内側延長ビード１４２は、外周角部１３０の周囲に少なくとも部分的に又は全体的に延長してもよい。内側延長ビード１４２を含有する周囲の長さは、容器リップに十分な係止効果が設けられている限り変更してもよい。例えば、図５に示すように、容器３０４は、容器本体３０６、及びこの容器本体３０６の上端にあるリップ３１０を包含する。本発明の実施形態の上蓋２０は、容器３０４のリップ３１０と係止するように設計されることにより、上蓋は容器３０４と結合する。示すように、内側延長部４２の内側縦断面プロファイル４４は、リップ３１０と干渉的に適合するように設計され、このプロファイルは、リップ３１０の外周の一部とスナップ係合した後、リップ３１０の下側３１２を係合することにより、リップ３１０で係止することができる。故に、本発明の各実施形態の内側延長部は、リップとの所望の干渉適合を付与することにより、容器本体のリップの下側で係止するのに十分な内側縦断面プロファイルを有していてもよい。
【００２８】
例示的な実施形態（例えば、図４及び図５参照）において、内側延長部４２の内側縦断面プロファイル４４は、図に示すように、横方向を向いた実質的にＶ字形のプロファイルを有することができる。この実質的にＶ字形のプロファイルは、上側脚部４８及び下側脚部５０を包含し、ここで上側脚部４８は垂直面に対して角度「ｂ」をもって配設される一方で、下側脚部５０は垂直面に対して角度「ｃ」をもって配置され得る。例えば、図４に示すように、角度「ｂ」は、約１５°〜約６０°、例えば約２５°〜約４０°であり得る。その上、又はあるいは、角度「ｃ」は、約５°〜約９０°、例えば約４０°〜約６０°であり得る。
少なくとも一部の、又は全体のスカート３４は、その下端４０にフランジ７２を更に包含してもよい。例えば図５は、それと容器本体３０６との間に領域７８を付与するように配設されたフランジ７２を示し、このフランジ７２を消費者が指先で掴むことにより、容器リップ３１０上の係止位置から上蓋を容易に取り外すことができる。ある実施形態において、フランジ７２は、スカート３４の下端４０から外方に延長する上側部分７４、及び下端４０から下方に延長する下側部分７６を含む。内側延長部４２は、使用中、容器３０４のリップ３１０に適合するように外周２８から十分に離間している。
【００２９】
例示的な実施形態において、各内側延長部４２は、外周２８に対して実質的に平行に配設される。しかも、上蓋２０を容器３０４に一旦取付けると、内側延長部４２はまた、容器３０４のリップ３１０に対して実質的に平行に配設される。図５に示すように、内側延長部４２により、上蓋２０はリップ３１０の下側３１２で係止する。有利なことに、十分な力で内側延長部４２をリップ３１０に押しやった後に上蓋２０を容器３０４に適用すると、上蓋２０はパチンという音をたてる。このパチンという音は、上蓋２０及び容器３０４間の係止接続が成功したことを示す。
【００３０】
ある実施形態において、内側延長部４２は、外周２８から約０．２ｃｍ〜約０．６の距離だけ離間している。例示的な実施形態において、上側部分７４は、スカート３４の下端４０から約０．０５ｃｍ〜約０．３ｃｍ、例えば約０．０８ｃｍ〜約０．１６ｃｍの距離だけ外方に延長する。更なる実施形態において、下側部分７６は、上側部分７４から約０．１ｃｍ〜約０．４ｃｍ、例えば約０．１５ｃｍ〜約０．３５ｃｍの距離だけ下方に延長する。更なる実施形態において、フランジの下方に延長する下側部分３６の下端８０に対して窪み部４２から延長するスカート３４の部分の縦の長さＬ４は、約０．２ｃｍ〜約０．７ｃｍである。加えて、スカート３４が外周２８と接触する点からフランジ７２の底部までのスカート３４の縦全長Ｌ５は、約０．５ｃｍ〜約１．２ｃｍであり得る。
【００３１】
ある実施形態において、フランジ７２は、２つ以上の上蓋を少なくとも限定的に入れ子状になるように寸法付ける。例えば、図７に示すように、上側の上蓋２０のフランジ７２は、同一の下側の上蓋２０の外周２８に隣接して載置している。
当業者であれば、フランジ７２が様々な構成であってもよいということを理解する。例えば、フランジ７２は、１つ以上の指先を挿入し、容器リップ上での係止位置から上蓋を容易に取り外すための領域を設けるよう、外方に角をなし、下方に延長する単一部分の形状であってもよい。代わりに、あるいは加えて、図９に示すように、フランジ２７２は、上蓋の取り外しを容易にするため、スカート２７４から外方に延長するタブ２７３の形状であってもよい。
【００３２】
図から明らかなように、スカート３４の下端は、本体２２の上面外周２８に隣接して接続されるスカート３４の上端から外方に離間する。この構成により、概して角をなすスカートが得られ、このスカートは、容器本体の開口及び上蓋をリップ上に導くのを助け、及び角をなすスカートがなければ生じる可能性のあるスカートのつぶれ又は曲がりを防ぐ。その上、概して角をなすスカートを得ることにより、上蓋２０を容器３０４に取付けた後、スカート３４及び容器本体３０６間に領域７８を作成するのを更に助ける。図５に示すように、領域７８は、容器から上蓋を押し上げる場合、消費者が指先を挿入できるような空隙距離「ｇ」を画定できる。多数の空隙距離「ｇ」を使用するとき、約０．０５ｃｍ〜約０．５ｃｍの空隙距離「ｇ」を使用してもよい。より特定的な実施形態においては、約０．３ｃｍの空隙距離「ｇ」を使用できる。結果的に、角をなす構成を備えたスカートを得ることにより、上蓋２０の多くの機能的態様を向上させる。
図３に示すように、ある実施形態において、フランジ７２の下端８０は、外周２８のスカート３４の上端に対して角度「ｄ」のところに一般的に位置付けられる。角度「ｄ」の範囲は、約３°〜約３０°、例えば約１０°〜約２０°であり得る。ある実施形態において、角度「ｄ」は、約１５°〜約１６°である。他の例示的な実施形態において、角度「ｄ」は、わずかに負であり得る一方、やはり十分な空隙距離「ｇ」を設ける。
【００３３】
上蓋２０の上面２４は１つ以上の突出部２６を包含してもよく、これらの突出部２６により、上蓋２０の審美的外観が改善され、及び／又は、構造一体性が増すので、本体２２の歪み（さもなければ、例えば高速包装プロセスにおいて、本体２２は上蓋２０を容器端部と適合させ、及び／又は、容器端部にうまく適用させることがある）が最小限に抑えられるか、又は排除され得る。突出部２６は、多様な形状及び／又は大きさであってもよく、容器から上方に離れて、又は容器内部に向かって下方に突出してもよい。図１に示す実施形態において、突出部２６は上方に突出し、本体２２の外周２８に隣接して、そこから内側に位置付けられる。突出部２６は、実質的に三角形の通路内において外周２８に隣接して連続的に延長し得る。突出部２６は、約０．３ｍｍ〜約５ｍｍ、例えば約０．５ｍｍの距離Ｌ６（図４参照）だけ、上面２４の下側部分から延長してもよい。図１に示す実施形態において、突出部２６は、約３ｍｍ〜約１０ｍｍの幅「ｗ」を有してもよい。ある例示的な実施形態において、突出部２６の幅は約７ｍｍである。しかしながら、明らかなように、突出部２６は、上蓋２０の本体２２の構造一体性及び／又は装飾的外観を高めるために、多様な形状及び大きさで設けられ得る強化部の一実施形態であってもよく、所望のように連続又は不連続であってもよい。その上、又はあるいは、強化部は、本体２２に接着した別個の物質片を含み得る。例えば、強化部及び本体２２は、所望のように上蓋の剛性を修正するため、同じ物質又は異なる物質を含むことができる。また、強化領域は、必ずしも物質を隆起させて突出部を形成しなくても、剛性の高い物質を単に使用するだけであり得ることが予想される。
【００３４】
本発明の上蓋は、当該技術分野において既知である、いかなる製造方法に従っても、いかなる好適な物質から成形されてもよい。例えば、上蓋を熱成形することもでき、射出成形することさえできる。ある実施形態において、上蓋は、熱成形作業により好都合に成形されてもよく、ここでキャップが成形され、適所で切断される。熱成形作業では、熱成形プロセスを行った後に金型から上蓋を取り外すのを助けるよう角度と湾曲を付与することが望ましいことがある。かかる作業中には、平坦なフランジがスカート外周に設けられてもよい。加えて、上蓋が実質的に三角形であると、多数の上蓋用金型と特定的に組み合って、熱成形プロセスにおける積層体のくずを最小限に抑えることができることにより、とりわけ丸形の上蓋の製造と比べて、物質の使用量及び製造コストが削減される。熱成形作業では、熱可塑性物質の１つ以上の層を典型的には用いることができ、この熱可塑性物質の例として、ポリエチレン、ポリプロピレン、ポリエチレンテレフタレートなどが挙げられるが、これらに限定されない。ある実施形態において、上蓋は、ポリエチレンテレフタレートから成形される。ポリエチレンテレフタレートは可撓性物質であり、さもなければ、製造及び／又は適用中に典型的に経験する機械的応力のために生じ、製品出荷中に受ける多様な温度、とりわけ低温で生じ得る亀裂を阻止する。より特定的な実施形態において、上蓋は、純非晶質ポリエチレンテレフタレートからなる少なくとも１つの層、及び粉砕再生ポリエチレンテレフタレートからなる別の層を含む多層物質から成形される。粉砕再生ポリエチレンテレフタレートは、前述の熱成形作業で生じたくず物質から作成され得る。更により特定な実施形態において、上蓋は、純非晶質ポリエチレンテレフタレートからなる２つの外側層間に配設された、粉砕再生ポリエチレンテレフタレートからなる１つの内側層を含む多層積層体から成形されてもよい。典型的には、熱成形上蓋の物質厚さは、約０．２ｍｍ〜約１ｍｍであってもよい。ある実施形態において、上蓋の物質の厚さは約０．４ｍｍである。本発明の上蓋は、例えば射出成形プロセスでは、特定領域での構造支持を更に付与するため、所望のように多様な厚さを備えて設計され得る。
【００３５】
上述のように、本発明の上蓋は、容器本体の同様に実質的に三角形状である端部を遮蔽及び／又は密封するのにとりわけ適応される。幾つかの実施形態において、容器本体もまた実質的に三角形であってもよい。例えば、図１０に示すように、容器アセンブリ３００は、水平断面が実質的に三角形である本体３０６を備えた容器３０４を包含する。容器３０４は、容器本体３０６の開放端３０８に配設された外方に延長するリップ３１０を更に包含する。当該技術分野において既知であるように、容器３０６及びリップ３１０は、同じ物質又は異なる物質から成形してもよい。ある実施形態において、本体及びリップは、押出−ブロー成形プロセスにおいて、熱可塑性物質から一体成形される。
【００３６】
好適な容器は、「スナック片用改良型プラスチックパッケージ（Ａｎ Ｉｍｐｒｏｖｅｄ Ｐｌａｓｔｉｃ Ｐａｃｋａｇｅ ｆｏｒ Ｓｎａｃｋ Ｐｉｅｃｅｓ）」という名称の同時係属出願（代理人整理番号８３３２Ｐ、２０００年１１月１３日に出願、ブイッソン（Ｂｕｉｓｓｏｎ）ら）に開示されており、これを参考として本明細書に組み入れる。この容器はまた、「実質的に三角形の容器底部（Ｓｕｂｓｔａｎｔｉａｌｌｙ Ｔｒｉａｎｇｕｌａｒ−Ｓｈａｐｅｄ Ｃｏｎｔａｉｎｅｒ Ｂｏｔｔｏｍ）」という名称の同時係属の米国仮出願第６０／２４８，１０３号（代理人整理番号８３３１Ｐ、２０００年１１月１３日に出願、ブイッソン（Ｂｕｉｓｓｏｎ）ら）及び本出願と共に出願された「容器底部及び方法（Ｃｏｎｔａｉｎｅｒ Ｂｏｔｔｏｍ ａｎｄ Ｍｅｔｈｏｄｓ）」という名称の米国特許出願第　　　　　　　　　　号（代理人整理番号８３３１Ｍ）に開示されるような容器底部の設計を包含するものであり、これらの全開示を参考として本明細書に組み入れる。この容器は、同時係属の米国仮出願第６０／２４８，０２６号（２０００年１１月１３日に出願、ブイッソン（Ｂｕｉｓｓｏｎ）ら）及び本出願と共に出願された「取り外し可能な密封装置を設けるための構造（Ｓｔｒｕｃｔｕｒｅｓ Ｆｏｒ Ｐｒｏｖｉｄｉｎｇ Ａ Ｒｅｍｏｖａｂｌｅ Ｃｌｏｓｕｒｅ）」という名称の米国特許出願第　　　　　　　　　　号（代理人整理番号８３３０Ｍ）に開示されるようなリップ及び／又は膜蓋を更に包含するものであり、これらの全開示を参考として本明細書に組み入れる。
【００３７】
図１０に示すように、本発明の実質的に三角形の上蓋２０は、リップ３１０の下側３１２と係合するように、容器３０４の端部上に配置されるため適応される。更なる実施形態において、膜蓋３０２（図１０の分解組立構成図に示す）は、封止を行うため上蓋２０及びリップ３１０の間に配置されても、リップ３１０の上面に装着されてもよい。例示的な膜蓋３０２は、容器２０内に包装された食品を封入し、保存するよう水密及び気密封止されてもよい。膜蓋３０２は、熱封止されてもよく、及び／又はリップ３１０に接着されてもよい。膜蓋３０２をリップ３１０の上面に装着した後、本発明の上蓋２０を容器２０に適用して遮蔽することにより、膜蓋３０２が損傷したり、又は不慮に外れてしまうのを防ぐことができる（さもなければ、容器の内部区画の気密状態を破壊する可能性がある）。上蓋２０また、消費者が少なくとも部分的に膜蓋３０２を取り外した後に、容器３０４を再密封することもできる。
【００３８】
上記の特定の実施形態及び実施例は単に説明の目的に提供されており、請求項の範囲を制限することを意図するものではない。本発明の追加的な実施形態及びそれによって提供される利点は、当業者にとって明らかであり、及び請求項の範囲内のものである。
【図面の簡単な説明】
【図１】本発明の上蓋のある例示的な実施形態の平面図である。
【図２】図１に示す上蓋の側部立面図である。
【図３】図１の線３−３に沿って切り取った上蓋の断面図である。
【図４】図１の上蓋の拡大部分断面図である。
【図５】本発明のある実施形態の容器に適用した図１の上蓋の部分断面図である。
【図６】図１の上蓋の正面透視図である。
【図７】図１に示す実施形態の２つの上蓋の部分断面図であり、これらの上蓋は、少なくとも部分的に入れ子状に積み重なっている。
【図８】本発明の上蓋の第２実施形態の部分正面立面図である。
【図９】本発明の上蓋の第３実施形態の部分平面図である。
【図１０】本発明の容器アセンブリの分解組立正面透視図である。
【図１】
2004513037.tif 000003
【図２】
2004513037.tif 000004
【図３】
2004513037.tif 000005
【図４】
2004513037.tif 000006
【図５】
2004513037.tif 000007
【図６】
2004513037.tif 000008
【図７】
2004513037.tif 000009
【図８】
2004513037.tif 000010
【図９】
2004513037.tif 000011
【図１０】
2004513037.tif 000012
【国際公開パンフレット】
2004513037.tif 000013
2004513037.tif 000014
2004513037.tif 000015
2004513037.tif 000016
2004513037.tif 000017
2004513037.tif 000018
2004513037.tif 000019
2004513037.tif 000020
2004513037.tif 000021
2004513037.tif 000022
2004513037.tif 000023
2004513037.tif 000024
2004513037.tif 000025
2004513037.tif 000026
2004513037.tif 000027
2004513037.tif 000028
2004513037.tif 000029
2004513037.tif 000030
2004513037.tif 000031
2004513037.tif 000032
2004513037.tif 000033
2004513037.tif 000034
2004513037.tif 000035
2004513037.tif 000036
2004513037.tif 000037
2004513037.tif 000038
2004513037.tif 000039
2004513037.tif 000040
2004513037.tif 000041
2004513037.tif 000042
2004513037.tif 000043
2004513037.tif 000044
【国際公開パンフレット（コレクトバージョン）】
2004513037.tif 000045
2004513037.tif 000046
【国際調査報告】
2004513037.tif 000047
2004513037.tif 000048
2004513037.tif 000049